(57)【要約】【課題】  撮像モジュールよりも被写体側にセクタ駆動ユニットを配置しても、鮮明な画像を撮像できる固体撮像装置を提供する。【解決手段】  セクタを駆動するセクタ駆動ユニット４０を、撮像モジュール３０、２０、１０よりも被写体側に配置している固体撮像装置１であって、前記セクタ駆動ユニットが前記撮像モジュールの一部と係合して光軸方向と垂直な方向で位置決めされると共に、該セクタ駆動ユニットを光軸回りに位置決めする位置決機構２７、４３、４４をさらに含でいる。セクタ駆動ユニットが撮像モジュールと係合することにより、セクタ駆動ユニットは光軸方向と垂直な方向での位置決めがなされ、さらに位置決機構により光軸回りでの位置決めもなされる。よって、この固体撮像装置は撮像モジュールよりも被写体側にセクタ駆動ユニットを配置しても正確に位置決めされて鮮明な画像を撮像できる。【選択図】    図１
2006174176.tif 000002
【特許請求の範囲】
【請求項１】
レンズ及び撮像素子を備える撮像モジュールよりも被写体側に、当該レンズへの入射光を遮断するセクタを駆動するセクタ駆動ユニットを配置している固体撮像装置であって、
前記撮像モジュールは、前記レンズを保持する光学ユニットと、当該光学ユニットを前記レンズの光軸方向に駆動するレンズ駆動ユニットとを備え、
前記セクタ駆動ユニットは、前記光学ユニットと係合して前記光軸方向と垂直な方向で位置決めされていることを特徴とする固体撮像装置。
【請求項２】
前記セクタ駆動ユニットは、前記レンズ駆動ユニットと係合して前記光軸回りで位置決めされていることを特徴とする請求項１に記載の固体撮像装置。
【請求項３】
前記光学ユニットは前記レンズ駆動ユニットと前記セクタ駆動ユニットとの間に挟持されており、前記レンズ駆動ユニットと前記セクタ駆動ユニットとの係合部分は接着されていることを特徴とする請求項２に記載の固体撮像装置。
【請求項４】
前記レンズ駆動ユニットは、前記光軸方向に延伸させた突起を備え、前記セクタ駆動ユニットは該突起と嵌合していることを特徴とする請求項２または３に記載の固体撮像装置。
【請求項５】
前記セクタ駆動ユニットは前記光学ユニットを前記被写体とは反対側から支持して前記光軸方向に移動させる保持部材を備え、
前記保持部材に前記突起が形成されていることを特徴とする請求項４に記載の固体撮像装置。
【請求項６】
前記セクタ駆動ユニットは前記セクタを挟むように配置される地板とセクタ押え板とを備え、当該地板は前記突起と嵌合する貫通穴を備えており、当該セクタ押え板は前記突起と係合する切欠を備えていることを特徴とする請求項４又は５に記載の固体撮像装置。
【請求項７】
前記レンズ駆動ユニットは凹部を有し、前記光学ユニット及び前記セクタ駆動ユニットを前記凹部内に収納する状態を維持して、当該光学ユニット及び当該セクタ駆動ユニットを前記光軸方向に移動することを特徴とする請求項１から６のいずれかに記載の固体撮像装置。
【請求項８】
請求項１から７のいずれかに記載の固体撮像装置を備えたことを特徴とする電子機器。
【発明の詳細な説明】
【技術分野】
【０００１】
本発明は固体撮像装置及び電子機器に関する。特にレンズよりも被写体側にセクタ（シャッタ羽根）を駆動するセクタ駆動ユニットを配置している固体撮像装置及び当該固体撮像装置を備えた電子機器に関する。
【背景技術】
【０００２】
一般的に固体撮像装置は、レンズを保持する光学ユニットと撮像素子を含む撮像ユニットとの間や、レンズの間に撮像に必要な光を遮断するセクタが配置されていた。ところが、セクタを駆動させるためには、セクタを支持する地板やステップモータ等のアクチュエータを備えたセクタ駆動ユニット（シャッタ装置とも称される）を構成することが必要である。そのため、従来の一般的な固体撮像装置は、他の構成間にセクタ駆動ユニットを配置することになるので設計上及び作製上の制約が多くなっていた。
【０００３】
そこで、例えば特許文献１は最も被写体側にセクタ駆動ユニットを配置した固体撮像装置を提案している。なお、固体撮像装置には、レンズを保持する光学ユニット、光学ユニットを光軸方向で進退移動するレンズ駆動ユニット、セクタを駆動するセクタ駆動ユニット、撮像素子を含む撮像ユニット等が含まれる。本明細書では、セクタ駆動ユニット以外の他のユニットをまとめて撮像モジュールと称することとする。特許文献１の固体撮像装置は、セクタ駆動ユニットを撮像モジュールよりも被写体側に配置することで、セクタ駆動ユニットの小型化を促進すると共に組付け性の向上を図っている。また、この固体撮像装置はセクタ駆動ユニットが光学ユニットよりも被写体側に位置するので、光学ユニット内のレンズを保護することもできる。
【０００４】
【特許文献１】特開２００４−１５６０２号公報
【発明の開示】
【発明が解決しようとする課題】
【０００５】
ところで、前述したように従来において一般的な固体撮像装置の場合には、セクタ駆動ユニットがレンズよりも後側（撮像ユニット側）に配置されていたので、ピント調整やズーム操作等でレンズを移動させたとしても、レンズの画角や入射光量への影響は殆どなかった。
【０００６】
しかしながら、上記特許文献１で開示する固体撮像装置では、セクタ駆動ユニットと、これよりも後ろ側にある撮像モジュールとの位置決めについて何ら記載されていない。ピント調整やズーム操作等でレンズが移動したときに、セクタ駆動ユニットと撮像モジュールとの光軸がずれたり、セクタ駆動ユニット内のセクタと撮像モジュール内のレンズとの位置がずれたりすると、レンズの入射光量や画角が大きく変化してしまい、撮像した画像に不具合が生じるという問題が発生する。
【０００７】
本発明の目的は、上記課題を解決して撮像モジュールよりも被写体側にセクタ駆動ユニットを配置しても、鮮明な画像を撮像できる固体撮像装置を提供することである。
【課題を解決するための手段】
【０００８】
上記目的は、レンズ及び撮像素子を備える撮像モジュールよりも被写体側に、当該レンズへの入射光を遮断するセクタを駆動するセクタ駆動ユニットを配置している固体撮像装置であって、前記撮像モジュールは、前記レンズを保持する光学ユニットと、前記光学ユニットを当該レンズの光軸方向に駆動するレンズ駆動ユニットとを含み、前記セクタ駆動ユニットは、前記光学ユニットと係合して前記光軸方向と垂直な方向で位置決めされている固体撮像装置によって達成できる。
【０００９】
本発明によると、レンズを保持する光学ユニットがセクタ駆動ユニットと係合することにより、セクタ駆動ユニットはレンズの光軸方向と垂直な方向での位置決めがなされる。よって、この固体撮像装置は撮像モジュールよりも被写体側にセクタ駆動ユニットを配置しても正確に位置決めできる。このような固体撮像装置はレンズの画角や入射光量の変化を抑制できるので鮮明な画像を撮像できる。      
【００１０】
そして、前記セクタ駆動ユニットは、前記レンズ駆動ユニットと係合して前記光軸回りで位置決めされている構造を採用することができる。
【００１１】
また、前記光学ユニットは前記レンズ駆動ユニットと前記セクタ駆動ユニットとの間に挟持されており、前記レンズ駆動ユニットと前記セクタ駆動ユニットとの係合部分は接着される構成としてもよい。また、前記レンズ駆動ユニットは光軸方向に延伸させた突起を含み、前記セクタ駆動ユニットは当該突起と嵌合している構造としてもよい。そして、前記セクタ駆動ユニットは前記光学ユニットを前記被写体とは反対側から支持して前記光軸方向に移動させる保持部材を含み、前記保持部材に前記突起が形成されている構造としてもよい。また、前記セクタ駆動ユニットは前記セクタを挟むように配置される地板とセクタ押え板とを備え、当該地板は前記突起と嵌合する貫通穴を備えており、当該セクタ押え板は前記突起と係合する切欠を備えている構造であってもよい。
【００１２】
また、前記レンズ駆動ユニットは凹部を有し、前記光学ユニット及び前記セクタ駆動ユニットを前記凹部内に収納する状態を維持して、当該光学ユニット及び当該セクタ駆動ユニットを前記光軸方向に移動するように構成してもよい。上記固体撮像装置を備えたカメラ、携帯電話等の電子機器であれば鮮明な画像を撮像できる。
【発明の効果】
【００１３】
本発明によると、セクタ駆動ユニットと撮像モジュールとが正確に位置決めされるので、レンズの入射光量や画角の変化を抑制して鮮明な画像を撮像できる固体撮像装置を提供できる。
【発明を実施するための最良の形態】
【００１４】
以下、図面を参照して本発明に係る一実施形態を説明する。図１は、固体撮像装置１を４個の主要部分に分解して示した斜視図である。図２は組付け状態の固体撮像装置１を示す斜視図である。図３は、図２におけるＡ−Ａ矢視断面である。図４は、被写体側に位置するセクタ駆動ユニットと、組付けられた他のユニット（撮像モジュール）とを示した斜視図である。図５は、固体撮像装置１の平面図である。
【００１５】
図１に示すように固体撮像装置１は、撮像素子１３を含む撮像ユニット１０、レンズ３５〜３７を光軸方向ＬＡに進退移動させるレンズ駆動ユニット２０、レンズ３５〜３７を保持する光学ユニット３０、及びセクタを駆動するセクタ駆動ユニット４０を含んでいる。上記撮像ユニット１０、レンズ駆動ユニット２０及び光学ユニット３０により撮像モジュールが構成される。なお、図１では上側が被写体側である。
【００１６】
図１及び図３を参照すると、撮像ユニット１０は撮像基板１１上の所定位置にホルダ１２、撮像素子１３、カバーガラス１４、光学フィルタ１５を組付けした構造を含んでいる。ホルダ１２は、撮像基板１１の上面の一部を覆うように配置され、内部に所定空間が形成されている。この空間内に、図３で示すように、撮像素子１３及びカバーガラス１４が収納されている。撮像素子１３として例えばＣＣＤ、ＣＭＯＳ等のイメージセンサが配置されている。
【００１７】
上記ホルダ１２には、レンズ３５〜３７を通った入射光を撮像素子９に受光させる撮影用の開口１２ａが形成されており、ホルダ１２の上面には、この開口１２ａを包囲する位置に光軸方向ＬＡに延伸するフランジ１２ｂが設けられている。このフランジ１２ｂ内に収納するとともに、開口１２ａを塞ぐように光学フィルタ１５が配置されている。なお、撮像基板１１上の他の部分には、撮像した画像のデータを処理するＤＳＰ（Digital  Signal  Processor）１６、レンズ駆動ユニット２０を制御するレンズドライバＩＣ１７、セクタ駆動ユニット４０を制御するセクタドライバＩＣ１８、並びに複数の電子部品１９が配置されている。図１及び図３で示すように、ＤＳＰ１６、レンズドライバＩＣ１７、セクタドライバＩＣ１８並びに複数の電子部品１９が、レンズ駆動ユニット２０のケース２１に対向する位置に配置されているので、装置サイズが大きくなることを防止できる。
【００１８】
ホルダ１２の上面には、後述するレンズ駆動ユニット２０のケース２１の一部（下端面）が当接している。このように、撮像基板１１に固定されているホルダ１２にレンズ駆動ユニット２０のケース２１を当接する構造とすることにより、撮像ユニット１０に対してレンズ駆動ユニット２０を光軸方向ＬＡで正確に位置決めできる。また、ケース２１の開口２１ａの内周面が、フランジ１２ｂの外周面に当接している。したがって、撮像ユニット１０に対してレンズ駆動ユニット２０を光軸方向ＬＡに垂直な方向で正確に位置決めできる。
【００１９】
また、本発明の固体撮像装置１は各ユニットを電気的に接続するためＦＰＣ（Flexible  Printed  Circuit）を使用している。レンズ駆動ユニット２０はＦＰＣ２９により撮像基板１１上の回路パターン（不図示）を介して撮像ユニット１０のレンズドライバＩＣ１７と電気的に接続される。同様に、セクタ駆動ユニット４０はＦＰＣ４５により撮像基板１１上の回路パターンを介して撮像ユニット１０のセクタドライバＩＣ１８と電気的に接続される。
【００２０】
撮像ユニット１０の被写体側にレンズ駆動ユニット２０が配設されている。レンズ駆動ユニット２０は、内部に図示しないステップモータ等のアクチュエータを備えている。アクチュエータを駆動することで光学ユニット３０を光軸方向ＬＡに進退移動させる。光学ユニット３０は、３枚のレンズ３５〜３７（図３参照）とこれらのレンズを保持するレンズホルダ３１とにより形成されている。
【００２１】
レンズ駆動ユニット２０について、より詳細に説明すると外側を覆うケース２１を有している。このケース２１の片側に凹部２３が形成されている。この凹部２３は、光学ユニット３０のレンズホルダ３１及びセクタ駆動ユニット４０の一部を受入れる形状となっている。また、ケース２１には撮影用の開口２１ａが形成されており、上述したように開口２１ａの内周面がフランジ１２ｂの外周面に当接している。レンズ駆動ユニット２０は、凹部２３の下部にレンズホルダ３１を支持する保持部材２５を備えている。保持部材２５はリング状の部材である。図３で示すように、保持部材２５の内周面とレンズホルダ３１の撮像素子１３側の外周面とを当接させ、保持部材２５上に光学ユニット３０をセットする。レンズ駆動ユニット２０のケース２１内には、不図示のステップモータにより保持部材２５を光軸方向ＬＡに移動する公知の駆動機構（例えば、特開平６−２７３６５６号で示されているカム機構や特開平５−１０７４３８号で示されているリードスクリュー機構等）が配置されている。よって、レンズホルダ３１は保持部材２５を介して光軸方向ＬＡに進退移動される。
【００２２】
保持部材２５は、図１で示すように、光軸方向ＬＡに立設した複数の爪部２６を備えている。この爪部２６は保持部材２５の上面の外周縁寄りに形成されている。一方、レンズホルダ３１の外周面には前記爪部２６に対応する複数の凹部３２が形成されている。レンズホルダ３１が保持部材２５上に搭載されたときに、凹部３２が保持部材２５の爪部２６に係合する（図４の下側の図参照）。凹部３２は、爪部２６と係合した状態で内側に空間３２ＳＰが生じるように爪部２６よりも大きめに形成されている。
【００２３】
組付け工程では上記空間３２ＳＰに接着剤が注入される。空間３２ＳＰは保持部材２５の上面、爪部２６及びレンズホルダ３１の凹部３２により囲まれて形成されている。この空間に接着剤を注入することで保持部材２５とレンズホルダ３１とが接着される。保持部材２５に爪部２６を設けることにより接着剤との接触面積が拡大されるので、保持部材２５とレンズホルダ３１とを確実に固定できる。また、爪部２６が接着剤を堰き止める機能も果たすので接着剤が周部へ流れ出すことを防止できる。なお、保持部材２５の上面は光軸方向ＬＡと垂直に形成され、レンズホルダ３１の保持部材２５と当接する面も高い平面度で形成されている。このようにレンズホルダ３１は保持部材２５上に位置精度良く位置決めされるので、レンズホルダ３１内のレンズ３５〜３７の中心と、撮像ユニット１０の撮像素子１３の受光部中心とが一致する。
【００２４】
さらに保持部材２５について説明する。保持部材２５はリング状の本体部分から半径方向に突出した一対の突出部２８を備え、この突出部２８それぞれから光軸方向ＬＡと平行に一対の突起２７が立ち上がっている。突起２７はリング状である保持部材２５の中央の開口を挟んでほぼ対称に配置されている（図５参照）。なお、ケース２１の凹部２３の内壁は突出部２８に対応する部分が凹状に形成されている。
【００２５】
上記突起２７は、セクタ駆動ユニット４０を保持部材２５に係合させるために形成した部材である。セクタ駆動ユニット４０と保持部材２５に設けた突起２７との関係について説明する。セクタ駆動ユニット４０は光学ユニット３０側（被写体と反対側）に配置される地板４１と被写体側のセクタ押え板４２との間にセクタ室４６が形成されている（図３参照）。このセクタ室４６内に例えば２枚のセクタが揺動自在に配置されている。セクタ駆動ユニット４０の収納部にはセクタを揺動させるアクチュエータ（不図示）が内蔵されている。アクチュエータはＦＰＣ４５を介して撮像基板１１上のセクタドライバＩＣ１８に接続されている。
【００２６】
固体撮像装置１で最も被写体側となるのは、セクタ駆動ユニット４０のセクタ押え板４２である。このセクタ押え板４２には撮影のための開口４２ａが形成されている。開口４２ａの中心は上記光学ユニット３０のレンズ３５〜３７の中心と一致するように設計されている。図３で示すように、地板４１にもセクタ押え板の開口４２ａと対応する開口４１ａが形成されている。地板４１の開口４１ａは、セクタ押え板４２の開口４２ａより大きく形成されている。
【００２７】
地板４１の開口４１ａは、レンズホルダ３１の被写体側に形成されている段状の外周部３１ａと係合している。より詳細に説明すると、外周部３１ａは光軸方向ＬＡに対して垂直な面を備え、また、開口４１ａが形成された地板４１の下面は平坦に形成されている。よって、図３で示すように、レンズホルダ３１の外周部３１ａに地板４１の開口４１ａを係合させると、光軸方向ＬＡと垂直な方向でセクタ駆動ユニット４０が位置決めされることになる。
【００２８】
さらに上記地板４１の外周部には一対の貫通穴４３が形成されている。この貫通穴４３は保持部材２５の突起２７と嵌合するように形成されている。また、上側のセクタ押え板４２には突起２７と係合する一対の切欠４４が形成されている。よって、図４で示した状態から図２で示す組付け状態にすると、保持部材２５の突起２７に地板４１の貫通穴４３及び切欠４４が係合する。そのためレンズ駆動ユニット２０に対してセクタ駆動ユニット４０が光軸回りで一定位置に位置決めされる。
【００２９】
また、保持部材２５の突起２７に地板４１の貫通穴４３及び切欠４４が係合した状態で、貫通穴４３及び切欠４４に被写体側から接着剤を塗布して突起２７と貫通穴４３及び切欠４４とを固定している。ここで、図１に示すように、突出部２８の突起２７の形成面には、突起２７の周辺部に凹部が形成されており、この凹部に接着剤が流れ込むことにより、接着剤が撮像素子９側に流れてレンズ３５〜３７の有効径内に入り込むことを防止できる。このように、地板４１の開口４１ａがレンズホルダ３１の外周部３１ａと係合するとともに、光学ユニット３０が保持部材２５とセクタ駆動ユニット４０との間に挟持された状態で、突起２７と貫通穴４３及び切欠４４とを固定するので、光学ユニット３０とセクタ駆動ユニット４０とが光軸方向ＬＡで位置決めされることになる。
【００３０】
以上説明した固体撮像装置１は撮像ユニット１０にレンズ駆動ユニット２０が確実に固体され、このレンズ駆動ユニット２０に光学ユニット３０及びセクタ駆動ユニット４０が正確に位置決めされる構造である。すなわち、固体撮像装置１は、撮像ユニット１０、レンズ駆動ユニット２０及び光学ユニット３０から構成される撮像モジュールに対して、最も被写体側に配置されるセクタ駆動ユニット４０が光軸方向ＬＡ、光軸方向ＬＡと垂直な方向及び光軸回りに正確に位置決めされた構造を含むことになる。このような固体撮像装置１はレンズの画角や入射光量の変化を防止できるので、鮮明な画像を撮像できる。固体撮像装置１を備えたカメラ、携帯電話等の電子機器であれば鮮明な画像を撮像できる。
【００３１】
なお、上記固体撮像装置１のレンズ駆動ユニット２０のケース２１には凹部２３が形成され、この凹部２３内を光学ユニット３０及びセクタ駆動ユニット４０が光軸方向ＬＡに進退移動する。ケース２１は、セクタ駆動ユニット４０の被写体側の移動限界位置及び各部品公差を考慮して突出部２２が形成されている。この突出部２２に凹部２３が形成されている。レンズ駆動ユニット２０により光学ユニット３０及びセクタ駆動ユニット４０が光軸方向ＬＡに移動されるが、セクタ駆動ユニット４０が突出部２２によりも上方に突出することがない。よって、固体撮像装置１のセクタ駆動ユニット４０は被写体側の周辺部の部品と接触することがないように保護される。光学ユニット３０は、このセクタ駆動ユニット４０の下に位置しているのでより確実に保護される。
【００３２】
固体撮像装置１は、上記のように光軸方向ＬＡにおいて、レンズ駆動ユニット２０の凹部２３内に光学ユニット３０及びセクタ駆動ユニット４０を常に収納する状態となる。よって、固体撮像装置１は光軸方向ＬＡでの厚みを抑制し、さらに小型を促進した固体撮像装置となる。
【００３３】
以下、さらに固体撮像装置１の製造工程の一例を図面を参照して説明する。撮像基板１１に撮像素子１３等の電子部品を搭載する。ホルダ１２を撮像基板１１に接着し、ホルダ１２に光学フィルタ１５を接着する。この工程により撮像ユニット１０が製造される。
【００３４】
ケース２１内の所定位置に保持部材２５を駆動するためのステップモータや駆動機構を収納する。駆動機構にはＦＰＣ２９の一端部を接続する。保持部材２５と駆動機構とを係合させる。レンズホルダ３１内にレンズ３５〜３７を保持している光学ユニット３０を別途準備する。レンズホルダ３１をケース２１の凹部に嵌め込み下端に配置されている保持部材２５上に搭載する。接着剤を空間３２ＳＰ内に塗布し、保持部材２５とレンズホルダ３１とを固定する。この工程によりレンズ駆動ユニット２０を製造し、レンズ駆動ユニット２０に光学ユニット３０を組付ける。
【００３５】
各セクタを地板４１とセクタ押え板４２との間に挟持し、地板４１とセクタ押え板４２とを固定する。収納部にアクチュエータを収納する。アクチュエータにＦＰＣ４５の一端部を接続する。この工程によりセクタ駆動ユニット４０が製造される。セクタ駆動ユニット４０の貫通穴４３に保持部材２５の突起２７を貫通することで、ケース２１の凹部に嵌め込む。このように嵌めこむことで、光学ユニット３０上にセクタ駆動ユニット４０を搭載する。より詳細には、地板４１及びセクタ押え板４２の貫通穴４３及び切欠４４と突起２７を嵌合させる。地板４１の開口４１ａとレンズホルダ３１の外周面３１ａとを当接させる。これによりレンズ駆動ユニット２０の保持部材２５とセクタ駆動ユニット４０の地板４１との間に光学ユニット３０のレンズホルダ３１を挟持した構造となる。地板４１及びセクタ押え板４２の切欠４４と保持部材２５の突起２７との嵌合部分に接着剤を塗布して保持部材２５とセクタ駆動装置４０とを固定する。
【００３６】
最後に、撮像ユニット１０にレンズ駆動ユニット２０を搭載する。撮像素子１３の受光部の中心とレンズ３５〜３７の光軸とを合せながら、ケース２１の開口２１ａの内周面をホルダ１２のフランジ１２ｂの外周面に当接させ、ホルダ１２の上面にレンズ駆動ユニット２０のケース２１の下面とを接着する。レンズ駆動ユニット２０のＦＰＣ２９の他端部及びセクタ駆動ユニット４０のＦＰＣ４５の他端部を、撮像ユニット１０側の撮像基板１１のパターンと接続して固体撮像装置１が完成する。
【００３７】
なお、上記実施例の固体撮像装置は、レンズ駆動ユニット２０が保持部材２５を備え、この保持部材２５を光軸方向ＬＡに移動することで光学ユニット３０及びセクタ駆動ユニット４０が移動する。また、保持部材２５に設けた突起２７によりセクタ駆動ユニット４０の光軸回りの位置決めを行っている。しかし、本発明に係る固体撮像装置は、このような構造に限定するものではない。保持部材２５を設けずにアクチュエータの駆動力をレンズホルダ３１に直に伝達して、光学ユニット３０を光軸方向ＬＡ方向に移動する機構を採用してもよい。例えば、ステップモータのロータ軸にピニオンギアを固定し、このピニオンギアと噛合するラックギアを光軸方向ＬＡと平行にレンズホルダ３１外周面に固定する構造を採用してもよい。その際にはセクタ駆動ユニット４０の貫通穴４３及び切欠４４と係合する突起２７をレンズホルダ３１の外周部に設け、セクタ駆動ユニット４０を光軸回りの位置決めすればよい。
【００３８】
また、上記実施例では保持部材２５に設けた突起２７とセクタ駆動ユニット４０の貫通穴４３及び切欠４４により、セクタ駆動ユニット４０を光軸回りに位置決めする位置決機構が形成されている。この機構はレンズを保持するレンズホルダ３１に負荷を与えることなく、セクタ駆動ユニット４０を位置決めできるので好ましい。しかし、このような構造に限らず、上述したようにレンズホルダ３１の外周部に保持部材２５と同様の突起を設けてセクタ駆動ユニット４０を光軸回りの位置決めする構造としてもよい。この場合、セクタ駆動ユニット４０はレンズホルダ３１により光軸方向ＬＡと垂直な方向での位置決めされているので、さらに光軸回りでも位置決めされる構造となる。また、レンズホルダ３１の突起とセクタ駆動ユニット４０とを接着することで、セクタ駆動ユニット４０をレンズホルダ３１に光軸方向ＬＡで位置決めできる。
【００３９】
また、上記実施例では、レンズホルダ３１と保持部材２５とを接着したが、両者を接着しない構成としても良い。このようにすれば、製造工程を簡略化できる。なお、光学ユニット３０が保持部材２５とセクタ駆動ユニット４０との間に挟持された状態で、突起２７と貫通穴４３及び切欠４４とを接着しているので、レンズホルダ３１と保持部材２５とを接着しない場合でも、光学ユニット３０とセクタ駆動ユニット４０とを光軸方向ＬＡで位置決めできる。
【００４０】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００４１】
【図１】固体撮像装置を４個の主要部分に分解して示した斜視図である。
【図２】組付け状態の固体撮像装置を示す斜視図である。
【図３】図２におけるＡ−Ａ矢視断面である。
【図４】被写体側に位置するセクタ駆動ユニットと、組付けられた他のユニットとを示した斜視図である。
【図５】固体撮像装置の平面図である。
【符号の説明】
【００４２】
１                  撮像装置
１０                撮像ユニット
１１                撮像基板
１２                ホルダ
１３                撮像素子
２０                レンズ駆動ユニット
２１                ケース
２２                突出部
２３                凹部
２５                保持部材
２６                爪部
２７                突起
３０                光学ユニット
３１                レンズホルダ
３５〜３７          レンズ
４０                セクタ駆動ユニット
４１                地板
４１ａ              開口
４２                セクタ押え板
４２ａ              開口
ＬＡ                光軸方向
【図１】
2006174176.tif 000003
【図２】
2006174176.tif 000004
【図３】
2006174176.tif 000005
【図４】
2006174176.tif 000006
【図５】
2006174176.tif 000007